(57)【要約】【課題】カバーの一部分を突出させずにハウジングの全周に一定圧を付与してパッキンを均等に被着体へ押圧し、防水端子台の小型化を図りつつ、防水性能を確保する。【解決手段】防水端子台１００において、被着体の開口穴を覆い開口穴の内外を導通させる端子１１を防水して挿通するハウジング１３と、ハウジング１３の被着体対向面に設けられ開口穴の周囲に密接する環状のパッキンと、ハウジング外周の略半周を囲み両端を被着体に締結手段にて固定してハウジング１３を介しパッキンを被着体に押圧する上部カバー１７と、ハウジング外周の他の略半周に押圧の方向に直交する方向で形成された溝にて嵌入し両端が上部カバー両端の下側に重なり被着体に向かって押圧される下部カバー１９と、を設けた。端子１１の外部側の電気接触部２１がＬ字状に折り曲げられてハウジング１３に収容される構造では、溝が、電気接触部２１の下方のハウジング側部６９に形成されることが好ましい。【選択図】図１
2010211933.tif 000002
【特許請求の範囲】
【請求項１】
被着体の開口穴を覆い該開口穴の内外を導通させる端子を防水して挿通するハウジングと、
該ハウジングの被着体対向面に設けられ前記開口穴の周囲に密接する環状のパッキンと、
ハウジング外周の略半周を囲み両端を前記被着体に締結手段にて固定して前記ハウジングを介し前記パッキンを前記被着体に押圧する上部カバーと、
ハウジング外周の他の略半周に前記押圧の方向に直交する方向で形成された溝にて嵌入し両端が上部カバー両端の下側に重なり前記被着体に向かって押圧される下部カバーと、
を具備したことを特徴とする防水端子台。
【請求項２】
請求項１記載の防水端子台であって、
前記端子の外部側の電気接触部がＬ字状に折り曲げられて前記ハウジングに収容され、
前記溝が、該電気接触部の下方のハウジング側部に形成されたことを特徴とする防水端子台。
【請求項３】
請求項１又は請求項２記載の防水端子台であって、
前記上部カバーと前記下部カバーとは、前記押圧の方向で嵌合する少なくとも一対の凹凸部にて環状に連結されて前記押圧の方向に直交する方向の移動が規制されたことを特徴とする防水端子台。
【請求項４】
請求項１〜請求項３のいずれか１項に記載の防水端子台であって、
前記上部カバーが、締結手段にて前記ハウジングに固定されることを特徴とする防水端子台。
【発明の詳細な説明】
【技術分野】
【０００１】
本発明は、車両のボディパネルや機器類のケースパネルの開口穴を覆い、この開口穴の内外を導通させる端子を防水して挿通する防水端子台に関する。
【背景技術】
【０００２】
車両のボディパネルや機器類のケースパネルを隔てた内外を導通させる部材に、防水端子台がある。防水端子台は、本体部分であるハウジングに端子を挿通し、上記パネルである被着体に穿設した開口穴を覆って固定される。つまり、端子の一端が外方に配置されるとともに、他端が内方に配置されて内外の導通を可能とする。例えば、電気自動車に搭載されるモータの外板ケースに設けられる防水端子台（例えば、特許文献１参照）は、開口穴から雨水などがケース内に浸入するのを防ぐ防水性が要求される。
【０００３】
図７は従来の防水端子台の斜視図、図８は図７に示した防水端子台の分解斜視図、図９は図７に示した防水端子台の断面図である。
従来の防水端子台５００は、端子５０１を防水して挿通するハウジング５０３と、ハウジング５０３の被着体対向面５０５に設けられる環状のパッキン５０７と、ハウジング５０３を覆って不図示の被着体（モータのケースパネル）にボルト等の締結手段にて固定されることで、ハウジング５０３を介してパッキン５０７を被着体に押圧するカバー５０９とに大別して構成される。
【０００４】
ハウジング５０３は被着体の開口穴に挿入されるフード５１１を先端に有し、フード５１１は端子５０１の電気接触部５１５を内方に収容する。端子５０１には電線５１７が圧着され、電線５１７にはハウジング５０３内に挿入される筒状のパッキンホルダ５１９が装着される。パッキンホルダ５１９は内周に装着した内部パッキン５２１にて電線５１７との間をシールし、外周に装着した外部パッキン５２３にてハウジング５０３との間をシールする。また、電気接触部５１５も基端とハウジング５０３との間がシール部材５２５にてシールされる。
【０００５】
ハウジング５０３の被着体対向面５０５には周溝５２７が形成され、パッキン５０７はこの周溝５２７に一部分を外方へ突出させて係止手段５２９ａ，５２９ｂにて保持される。被着体対向面５０５は、ハウジング５０３の外周に形成されたフランジ部５３１の一方の面となる。カバー５０９にはフランジ部５３１と嵌合する凹部５３３が形成され、カバー５０９は凹部５３３にフランジ部５３１を嵌合することで、ハウジング５０３の全体を覆って、外周鍔部５３５に穿設された複数の固定穴５３７に挿通された不図示のボルトにて被着体に螺着される。
【０００６】
カバー５０９が被着体にボルト固定されることで、フランジ部５３１にはボルトによる軸力が加わる。これにより、ハウジング５０３を介してパッキン５０７が押圧され、パッキン５０７の全周が一定圧にて被着体に密接されるようになされていた。
【先行技術文献】
【特許文献】
【０００７】
【特許文献１】特開２００３−１１５３５７号 公報
【発明の概要】
【発明が解決しようとする課題】
【０００８】
しかしながら、従来の防水端子台５００は、ハウジング外周に均等に押圧力を加えるためにフランジ５３１を突設し、そのフランジ部５３１をカバー５０９の凹部５３３に嵌合して覆っていたため、防水端子台全体の外形が大きくなる問題があった。諸機器類の配置効率向上から、例えば外周鍔部５３５の一側部５３５ａ（図７参照）を配置するスペースが確保できない場合には、外周鍔部５３５がＣ字状となり、欠落した一側部５３５ａではハウジング５０３に押圧力が加えられなくなり、その結果、パッキン５０７の全周が均等に密接しなくなって、防水性能を低下させる虞が生じた。
【０００９】
本発明は上記状況に鑑みてなされたもので、カバーの一部分を突出させずにハウジングの全周に一定圧を付与してパッキンを均等に被着体へ押圧することができる防水端子台を提供し、もって、防水端子台の小型化を図りつつ、防水性能の確保を図ることを目的とする。
【課題を解決するための手段】
【００１０】
本発明に係る上記目的は、下記構成により達成される。
（１）  被着体の開口穴を覆い該開口穴の内外を導通させる端子を防水して挿通するハウジングと、
該ハウジングの被着体対向面に設けられ前記開口穴の周囲に密接する環状のパッキンと、
ハウジング外周の略半周を囲み両端を前記被着体に締結手段にて固定して前記ハウジングを介し前記パッキンを前記被着体に押圧する上部カバーと、
ハウジング外周の他の略半周に前記押圧の方向に直交する方向で形成された溝にて嵌入し両端が上部カバー両端の下側に重なり前記被着体に向かって押圧される下部カバーと、
を具備したことを特徴とする防水端子台。
【００１１】
この防水端子台によれば、ハウジング外周の略半周が上部カバーにて囲まれ、ハウジング外周の他の略半周に形成された溝に下部カバーが嵌入され、上部カバー両端を締結手段にて被着体に固定することで、両端をこの上部カバー両端の下側に重ねた下部カバーが被着体に向かって押圧され、下部カバーをハウジング側部から突出させることなく、ハウジング外周に一定圧が付与されて、パッキンの全周が均等に被着体へ押圧される。
【００１２】
（２）  （１）の防水端子台であって、
前記端子の外部側の電気接触部がＬ字状に折り曲げられて前記ハウジングに収容され、
前記溝が、該電気接触部の下方のハウジング側部に形成されたことを特徴とする防水端子台。
【００１３】
この防水端子台によれば、端子の外部側の電気接触部がＬ字状に折り曲げられる構造において、電気接触部の下方に存在するハウジングのブロック体状部分を利用し、ハウジング側部に開口する溝を配設できる。つまり、Ｌ字状端子の収容に必須となる構造部を有効利用して、下部カバーをハウジング外周から突出させることなくハウジングの外形内に収容できる。これにより、特に、Ｌ字状端子を収容するハウジングでは、ハウジング外周に突出部を設けずに略半周を押圧可能にできる。
【００１４】
（３）  （１）又は（２）の防水端子台であって、
前記上部カバーと前記下部カバーとは、前記押圧の方向で嵌合する少なくとも一対の凹凸部にて環状に連結されて前記押圧の方向に直交する方向の移動が規制されたことを特徴とする防水端子台。
【００１５】
この防水端子台によれば、溝に嵌入される下部カバーは押圧の方向には移動規制されるが、押圧の方向に直交する方向には移動可能となる。ハウジングの略半周を囲んで設けられた上部カバーが締結手段にて被着体に固定されるとともに、凹凸部が嵌合されると、下部カバーと上部カバーが環状に連結されてハウジング外周を包囲し、下部カバーが押圧直交方向にも移動規制され、脱落が規制されて溝に確実に保持される。
【００１６】
（４）  （１）〜（３）のいずれか１つに記載の防水端子台であって、
前記上部カバーが、締結手段にて前記ハウジングに固定されることを特徴とする防水端子台。
【００１７】
この防水端子台によれば、溝に下部カバーが嵌入された後、反対側の略半周を囲む上部カバーが締結手段にてハウジングに固定されると、下部カバーと上部カバーの凹凸部が嵌合し、下部カバーが溝から脱落しなくなる。すなわち、凹凸部を嵌合し、且つ締結手段で上部カバーをハウジングに固定することで、環状に連結された下部カバー及び上部カバーがハウジングを包囲した状態で一体となって装着固定される。
【発明の効果】
【００１８】
本発明に係る防水端子台によれば、ハウジングを囲んで被着体へ押圧するカバーを、上部カバーと下部カバーとに分割し、下部カバーをハウジング側部に形成した溝に挿入したので、上部カバー両端を締結手段にて被着体に固定すると同時に、上部カバー両端の下側に両端を重ねた下部カバーを被着体に向かって押圧でき、下部カバーをハウジング側部から突出させることなく、ハウジングの全周に一定圧を付与してパッキンを均等に被着体へ押圧することができる。この結果、防水端子台を小型化しつつ、防水性能を確保することができる。
【図面の簡単な説明】
【００１９】
【図１】本発明に係る防水端子台の外観斜視図である。
【図２】図１に示した防水端子台を下側から見た斜視図である。
【図３】図１に示した防水端子台の分解斜視図である。
【図４】図１に示した防水端子台の断面図である。
【図５】上部カバーを下側から見た斜視図である。
【図６】上部カバーと下部カバーの重なり部の拡大断面図である。
【図７】従来の防水端子台の斜視図である。
【図８】図７に示した防水端子台の分解斜視図である。
【図９】図７に示した防水端子台の断面図である。
【発明を実施するための形態】
【００２０】
以下、本発明の実施の形態を図面を参照して説明する。
図１は本発明に係る防水端子台の外観斜視図である。
本実施の形態による防水端子台１００は、端子１１と、ハウジング１３と、パッキン１５（図２参照）と、上部カバー１７と、下部カバー１９とに大別して構成される。
【００２１】
端子１１は、短冊状の導電性金属板の一端側を曲げたＬ字状に形成され、両端の電気接触部２１，２３にはボルト孔２５が穿設される。端子１１は、電気接触部２１，２３のボルト孔２５に挿通した不図示のボルトにて、モータ端子や相手側端子と固定される。
【００２２】
図２は図１に示した防水端子台を下側から見た斜視図である。
ハウジング１３は、基台部２７の下面に下部ホルダ部２９が垂設される。下部ホルダ部２９には隔壁３１によって区画された複数の端子収容部３３が形成され、端子収容部３３のそれぞれに端子１１の電気接触部２３が収容される。下部ホルダ部２９にはボルト孔２５と一致するボルト孔３５が穿設される。収容された電気接触部２３は、表出面に相手側端子が接触してボルトにて固定される。
【００２３】
ハウジング１３の基台部２７は、下部ホルダ部２９を垂設した下面が、被着体対向面３７となる。ハウジング１３は、不図示の被着体の開口穴に下部ホルダ部２９を挿入し、基台部２７で開口穴を覆う。これにより、開口穴の内外を端子１１にて導通可能とする。基台部２７の被着体対向面３７には周溝３９が形成され、周溝３９は環状に形成されたパッキン１５を収容する。周溝３９に収容されたパッキン１５は、厚み方向の一部分を被着体対向面３７から突出させる。突出したパッキン１５は、ハウジング１３が上部カバー１７にて被着体側に押圧されることで弾性圧縮されて、開口穴の周囲に密接する。
【００２４】
パッキン１５は、長円形に形成され、長辺部に位置決め孔４１（図３参照）を備えた複数の位置決め片４３が設けられる。位置決め片４３は、周溝３９に接続して形成された切欠部４５に嵌入し、切欠部４５に立設した位置決めピン４７を位置決め孔４１に挿入することで、ずれの生じないようにパッキン１５を位置規制する。
【００２５】
図３は図１に示した防水端子台の分解斜視図である。
基台部２７の上面には直方体状の上部ホルダ部４９が上方に突出して設けられる。上部ホルダ部４９には隔壁５１によって区画された複数の端子収容部５３が形成され、端子収容部５３のそれぞれに端子１１の電気接触部２１が収容される。端子収容部５３の底部にはナット５５が組付固定され、ナット５５はボルト孔２５に挿通したボルトに螺合する。
【００２６】
上部カバー１７は、ハウジング外周の略半周を囲み、両端５７，５７を被着体に締結手段である不図示のボルトにて固定される。上部カバー１７は、アルミ材からなり、基部５９の長手方向両側から同方向に両端５７，５７を突出させた略Ｃ字状に形成される。両端５７，５７には薄厚となった薄厚部５８が形成され、薄厚部５８は下部カバー１９の両端６１，６１と重なる。上部カバー１７の両端５７，５７には、上記締結手段であるボルトを挿通するための固定孔６３，６３が穿設される。上部カバー１７は、基部５９の下面がハウジング１３の基台部２７の上面に当接される。これにより、上部カバー１７は、両端５７，５７が固定されることで、ハウジング１３を介しパッキン１７を被着体に押圧する。
【００２７】
基台部２７の短辺側の両側部にはパッキン保持爪６５が形成され、パッキン保持爪６５はパッキン１５の両端に設けられた係止ピン６７を係止することでパッキン１５を周溝３９に保持する。
【００２８】
ハウジング外周の他の略半周であるハウジング側部（上部ホルダ部４９の側部６９、以下、「ハウジング側部６９」と呼ぶ。）には、ハウジング１３の押圧される方向（矢印ａ）に直交する方向（矢印ｂ）で溝７１が形成されている。溝７１は、上部ホルダ部４９の側部６９に沿って直線状に形成され、両端が上部ホルダ部４９の短辺部で開放される。
【００２９】
下部カバー１９は、アルミ材からなり、基部７３の長手方向両側から同方向に両端６１，６１を突出させた略Ｅ字状に形成される。下部カバー１９は、溝７１に矢印ｂ方向で挿入され、両端６１，６１が上部ホルダ部４９の短辺部から外方に突出する。突出した両端６１，６１は、上部カバー１７の両端５７，５７に下側で重なる。したがって、下部カバー１９は、溝７１にて嵌入し両端６１，６１が上部カバー両端５７，５７の下側に重なり被着体に向かって押圧される。
【００３０】
図４は図１に示した防水端子台の断面図である。
上部ホルダ部４９及び基台部２７には端子１１の電気接触部２３側を挿通する端子防水部７５が穿設される。端子防水部７５の下端は段部７７を介して端子挿通孔７９に連通する。電気接触部２３の基端には、先端側（図４の下端側）からホルダ８１、端子パッキン８３が順次外挿されて装着される。端子１１は、ホルダ８１、端子パッキン８３を装着した状態で、電気接触部２３を端子挿通孔７９へ挿入することで、端子パッキン８３が段部７７に当接し、端子防水部７５の間がシールされる。これにより、端子１１が防水されてハウジング１３に挿通されることになる。
【００３１】
本実施の形態では、端子１１の外部側となる電気接触部２１がＬ字状に折り曲げられてハウジング１３の上部ホルダ部４９に収容される。溝７１は、電気接触部２１の下方のハウジング側部６９に形成されている。すなわち、端子１１の外部側の電気接触部２１がＬ字状に折り曲げられる構造においては、電気接触部２１の下方に存在するハウジング１３のブロック体部８５（図４参照）を利用し、ハウジング側部６９に開口する溝７１を配設できる。つまり、Ｌ字状端子の収容に必須となる構造部を有効利用して、下部カバー１９をハウジング外周から突出させることなくハウジング１３の外形内に収容できる。これにより、特に、Ｌ字状端子１１を収容するハウジング１３では、ハウジング外周に突出部を設けずに略半周を押圧可能にできる。
【００３２】
また、本実施の形態では、上部カバー１７の基部５９に一対の固定孔８７，８７が穿設され、固定孔８７，８７は締結手段であるネジ８９，８９を挿通する。上部カバー１７に挿通されたネジ８９，８９は、ハウジング１３の基台部２７に設けられた固定柱９１に螺合される。つまり、上部カバー１７が、ハウジング１３に固定されるようになっている。
【００３３】
図５は上部カバーを下側から見た斜視図である。
上部カバー１７と下部カバー１９とは、押圧の方向ａで嵌合する少なくとも一対の凹凸部９３，９５にて環状に連結されて、押圧の方向に直交する方向ｂの移動が規制される。この凹部９３は例えば下部カバー１９の嵌合孔として穿設され、凸部９５は上部カバー１７の規制ピンとして形成することができる。
【００３４】
溝７１に嵌入される下部カバー１９は、押圧の方向ａには移動規制されるが、押圧の方向に直交する方向ｂには移動可能となる。ハウジング１３の略半周を囲んで設けられた上部カバー１７がボルトにて被着体に固定されるとともに、凹凸部９３，９５が嵌合されると、下部カバー１９と上部カバー１７が環状に連結されてハウジング外周を包囲し、下部カバー１９が押圧直交方向ｂにも移動規制される。これにより、下部カバー１９の脱落が規制されて溝７１に確実に保持されるようになる。
【００３５】
防水端子台１００は、被着体への取り付け前において、溝７１に下部カバー１９が嵌入された後、反対側の略半周を囲む上部カバー１７がネジ８９，８９にてハウジング１３に固定されると、下部カバー１９と上部カバー１７の凹凸部９３，９５が嵌合し、下部カバー１９が溝７１から脱落しなくなる。すなわち、凹凸部９３，９５を嵌合し、且つネジ８９，８９で上部カバー１７をハウジング１３に固定することで、環状に連結された下部カバー１９及び上部カバー１７がハウジング１３を包囲した状態で一体となって装着固定されることになる。被着体への取り付け作業性を良好にできる。
【００３６】
次に、上記構成を有する防水端子台１００の組み立て手順を説明する。
防水端子台１００を組み立てるには、先ず、端子１１に、電気接触部２３の先端側から、ホルダ８１、端子パッキン８３を順に外挿する。上部ホルダ部４９、下部ホルダ部２９にナット５５を組み付ける。ナット５５を組み付けた上部ホルダ部４９の端子防水部７５に、端子１１の電気接触部２３を挿入する。
【００３７】
端子パッキン８３が段部７７に当接した後、電気接触部２１が端子収容部５３に収容状態となるまで端子１１を押し込む。次いで、ハウジング側部６９の溝７１に下部カバー１９を装着した後、上部カバー１７を基台部２７に被せ、ネジ８９，８９にて固定する。次いで、被着体対向面３７の周溝３９に、パッキン１５を装着して、防水端子台１００の組み立てを完了する。
【００３８】
組み立てられた防水端子台１００は、被着体９７（図６参照）の開口穴９９に、下部ホルダ部２９が挿入され、基台部２７で開口穴９９を覆うようにして配置される。次いで、上部カバー１７の両端５７，５７に設けられた固定孔６３，６３に、不図示のボルトが挿通され、被着体に螺合固定される。
【００３９】
図６は上部カバーと下部カバーの重なり部の拡大断面図である。
上記構成の防水端子台１００では、ハウジング外周の略半周が上部カバー１７により囲まれる。ハウジング外周の他の略半周は、溝７１に嵌入した下部カバー１９により囲まれる。上部カバー１７の両端５７，５７をボルトにて被着体９７に固定することで、両端６１，６１をこの上部カバー両端５７，５７の下側に重ねた下部カバー１９が、被着体９７に向かって押圧される。これにより、下部カバー１９をハウジング側部６９から突出させずに、ハウジング外周に一定圧が付与され、パッキン１５の全周が均等に被着体９７へ押圧されることとなる。なお、図６中、１０１は、締結手段であるボルトの中心軸を示す。
【００４０】
したがって、上記防水端子台１００によれば、ハウジング１３を囲んで被着体９７へ押圧するカバー１７，１９を、上部カバー１７と下部カバー１９とに分割し、下部カバー１９をハウジング側部６９に形成した溝７１に挿入したので、上部カバー両端５７，５７を締結手段にて被着体９７に固定すると同時に、上部カバー両端５７，５７の下側に両端６１，６１を重ねた下部カバー１９を被着体９７に向かって押圧でき、下部カバー１９をハウジング側部６９から突出させることなく、ハウジング１３の全周に一定圧を付与してパッキン１５を均等に被着体９７へ押圧することができる。この結果、防水端子台１００を小型化しつつ、防水性能を確保することができる。
【符号の説明】
【００４１】
１１  端子
１３  ハウジング
１５  パッキン
１７  上部カバー
１９  下部カバー
２１  端子の外部側の電気接触部
３７  被着体対向面
５７  上部カバー両端
６１  下部カバー両端
６９  ハウジング側部
７１  溝
９３，９５  凹凸部
９７  被着体
９９  開口穴
１００  防水端子台
ａ  押圧の方向
ｂ  押圧の方向に直交する方向
【図１】
2010211933.tif 000003
【図２】
2010211933.tif 000004
【図３】
2010211933.tif 000005
【図４】
2010211933.tif 000006
【図５】
2010211933.tif 000007
【図６】
2010211933.tif 000008
【図７】
2010211933.tif 000009
【図８】
2010211933.tif 000010
【図９】
2010211933.tif 000011